【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
画像形成システム内で受像媒体を処理するための方法であって、
タイミング制御デバイスを前記画像形成システム内の第１のインライン片面媒体マーキングデバイスと第２のインライン片面媒体マーキングデバイスとの間に設けることであって、前記タイミング制御デバイスは、複数のタイミング制御通路を含み、前記複数のタイミング制御通路の各々は、受像媒体シートを前記複数のタイミング制御通路の前記各々に方向転換させる第１の位置と前記受像媒体シートに前記複数のタイミング制御通路の前記各々を迂回させる第２の位置との間で操作可能である、入口端方向転換ゲートを含むことと、
プロセッサで、前記画像形成システム内で指定された画像形成動作に関する命令を受信することと、
前記プロセッサで、前記指定された画像形成動作が片面画像形成動作または両面画像形成動作であるかを判定することと、
前記指定された画像形成動作が片面画像形成動作であると判定される場合、前記第１のインライン片面媒体マーキングデバイスによって第１の面にイメージングされた第１受像媒体シートに、前記タイミング制御デバイス内の前記複数のタイミング制御通路を迂回させるように、前記タイミング制御デバイスを迂回モードで動作させることと、
前記指定された画像形成動作が両面画像形成動作であると判定される場合、前記第１のインライン片面媒体マーキングデバイスによって第１の面にイメージングされた第２受像媒体シートを、前記複数のタイミング制御通路のうち占有されていないものへ方向転換させるモードで、前記タイミング制御デバイスを動作させることと、
前記プロセッサで前記タイミング制御デバイスと前記第２のインライン片面媒体マーキングデバイスとの間で信号を交換して、前記第２のインライン片面媒体マーキングデバイスにおけるさらなる処理のために前記第２受像媒体シートの放出を調整することと、
前記第２のインライン片面媒体マーキングデバイスにおけるさらなる処理のために前記タイミング制御デバイス内の前記複数のタイミング制御通路のうちの１つから前記第２受像媒体シートを放出するように前記プロセッサで指定することとを含む、
方法。
【請求項２】
前記タイミング制御デバイスに統合された受像媒体レジストレーションユニットを設けることと、
前記第２のインライン片面媒体マーキングデバイスに適合させるためのレジストレーション命令を受信することと、
前記受信されたレジストレーション命令に従って、前記複数のタイミング制御通路のうちの１つから放出された前記第２受像媒体シートの見当を合わせることとをさらに含む、請求項１に記載の方法。
【請求項３】
前記受像媒体レジストレーションユニットは、少なくとも１つの入口レジストレーションセンサを含み、
前記プロセッサで、前記少なくとも１つの入口レジストレーションセンサから受信された情報に基づいて、前記第２受像媒体シートの現在のレジストレーション状態を判定することと、
前記プロセッサで、前記第２受像媒体シートの前記現在のレジストレーション状態を、前記受信されたレジストレーション命令と比較することと、
前記比較に基づいて前記第２受像媒体シートの見当を合わせることとをさらに含む、請求項２に記載の方法。
【請求項４】
前記受像媒体レジストレーションユニットは、転移電子レジストレーション（ＴＥＬＥＲ）システムを含む、請求項２に記載の方法。
【請求項５】
前記タイミング制御デバイスの前記迂回モードでの前記動作は、前記複数のタイミング制御通路の各々の前記入口端方向転換ゲートを前記第２の位置へ前記プロセッサで指定し、前記第１受像媒体シートにすべての前記複数のタイミング制御通路を迂回させ、さらに処理されることなく前記タイミング制御デバイスから出力されるようにすることを含む、請求項１に記載の方法。
【請求項６】
前記複数のタイミング制御通路の各々は、ある特定のタイミング制御通路において、前記第２受像媒体シートの存在を示すタイミング制御通路センサを備え、前記複数のタイミング制御通路の前記各々と関連付けられた前記タイミング制御通路センサからの入力に基づいて、前記複数のタイミング制御通路のうち占有されていないものを、前記プロセッサで判定することと、
前記複数のタイミング制御通路のうちの判定されたものの１つの前記入口端方向転換ゲートを前記プロセッサで前記第１の位置に指定し、前記第２受像媒体シートを前記複数のタイミング制御通路のうちの前記判定されたものの１つへ方向転換させるようにすることとをさらに含む、請求項１に記載の方法。
【請求項７】
前記タイミング制御通路センサからの前記入力に基づいて、前記第２のインライン片面媒体マーキングデバイスに送信されるシート待機信号を、前記プロセッサで生成することをさらに含む、請求項６に記載の方法。
【請求項８】
第１のインライン片面媒体マーキングデバイスと、
プロセス方向において前記第１のインライン片面媒体マーキングデバイスの下流に位置するシート反転器と、
前記第１のインライン片面媒体マーキングデバイスと前記シート反転器とを含む受像媒体搬送路のプロセス方向において前記第１のインライン片面媒体マーキングデバイスの下流に位置し、複数のタイミング制御通路を備える、タイミング制御デバイスと、を備え、
前記複数のタイミング制御通路の各々は、
受像媒体シートを前記複数のタイミング制御通路の前記各々に方向転換させるようにするのに使用可能である少なくとも１つの入口端方向転換ゲートと、
前記受像媒体シートが前記複数のタイミング制御通路の前記各々の中に存在することを判定するための少なくとも１つのセンサと、を備え、
さらに、前記第１のインライン片面媒体マーキングデバイスと前記シート反転器と前記タイミング制御デバイスとを含む受像媒体搬送路の前記プロセス方向において、前記第１のインライン片面媒体マーキングデバイスと前記シート反転器と前記タイミング制御デバイスとの下流に位置する第２のインライン片面媒体マーキングデバイスと、
プロセッサと、を備え、
前記プロセッサは、
画像形成システム内で指定された画像形成動作に関する命令を受信し、
前記指定された画像形成動作が片面画像形成動作または両面画像形成動作であるかを判定し、
前記指定された画像形成動作が片面画像形成動作であると判定される場合、前記第１のインライン片面媒体マーキングデバイスによって第１の面にイメージングされた第１受像媒体シートに前記タイミング制御デバイス内の前記複数のタイミング制御通路を迂回させるように前記タイミング制御デバイスを迂回モードで動作させ、
前記指定された画像形成動作が両面画像形成動作であると判定される場合、前記複数のタイミング制御通路の前記１つと関連付けられている前記少なくとも１つの入口端方向転換ゲートの位置決めを指定することにより、前記第１のインライン片面媒体マーキングデバイスによって第１の面にイメージングされた第２受像媒体シートを前記複数のタイミング制御通路のうちの１つへ方向転換させるタイミング制御モードで前記タイミング制御デバイスを動作させ、
前記タイミング制御デバイスと前記第２のインライン片面媒体マーキングデバイスとの間で信号を交換して、前記第２のインライン媒体マーキングデバイスにおけるさらなる処理のために前記第２受像媒体シートの放出を調整し、
前記さらなる処理のために前記複数のタイミング制御通路のうちの１つから前記第２受像媒体シートを放出するようにプログラムされる、画像形成システム。
【請求項９】
各少なくとも１つの入口端方向転換ゲートは、前記第２受像媒体シートを前記タイミング制御通路のうちの各１つへ方向転換させるための第１の位置と、前記第１受像媒体シートに、前記タイミング制御通路のうちの前記各１つを迂回させるための第２の位置との間で操作可能である、請求項８に記載の画像形成システム。
【請求項１０】
前記プロセッサは、
前記指定された画像形成動作が前記片面画像形成動作であると判定される場合、前記複数のタイミング制御通路の各々の前記少なくとも１つの入口端方向転換ゲートを、前記第２の位置へ指定し、前記第１受像媒体シートにすべての前記複数のタイミング制御通路を迂回させ、さらに処理されることなく前記タイミング制御デバイスから出力されるようにさらにプログラムされている、請求項９に記載の画像形成システム。
【請求項１１】
前記プロセッサは、
前記指定された画像形成動作が前記両面画像形成動作であると判定される場合、
前記第２受像媒体シートが前記複数のタイミング制御通路の前記各々の中に存在することを判定するための少なくとも１つのセンサにおける入力に基づいて、前記複数のタイミング制御通路のうち占有されていないものを判定し、
前記複数のタイミング制御通路のうちの前記判定されたものの１つの前記少なくとも１つの入口端方向転換ゲートを、前記第１の位置へ指定し、前記第２受像媒体シートが前記複数のタイミング制御通路のうちの前記判定されたものの１つへと方向転換されるよう命令するようにさらにプログラムされている、請求項９に記載の画像形成システム。
【請求項１２】
前記プロセッサは、タイミング制御通路センサからの前記入力に基づいて、下流の片面媒体マーキングデバイスに送信するためのシート待機信号を生成するようにさらにプログラムされている、請求項１１に記載の画像形成システム。
【請求項１３】
前記プロセス方向において、前記第１のインライン片面媒体マーキングデバイスの下流であり前記第２のインライン片面媒体マーキングデバイスの上流に、前記第２のインライン片面媒体マーキングデバイスの入力要件に適合するように前記第２受像媒体シートの見当を合わせるための、前記タイミング制御デバイスに統合された受像媒体レジストレーションユニットをさらに含み、
前記プロセッサは、
前記第２のインライン片面媒体マーキングデバイスの前記入力要件に適合させるためのレジストレーション命令を受信し、
前記受信されたレジストレーション命令に従って、前記複数のタイミング制御通路のうちの１つから放出された前記第２受像媒体シートの見当を合わせるように前記受像媒体レジストレーションユニットを制御するようにさらにプログラムされている、請求項８に記載の画像形成システム。
【請求項１４】
前記受像媒体レジストレーションユニットは、前記第２受像媒体シートの現在のレジストレーション状態を判定する少なくとも１つの入口レジストレーションセンサを含み、
前記プロセッサは、
前記第２受像媒体シートの前記現在のレジストレーション状態を、前記受信されたレジストレーション命令と比較し、
前記比較に基づいて、前記第２受像媒体シートの見当を合わせるように前記受像媒体レジストレーションユニットを制御するようにさらにプログラムされている、請求項１３に記載の画像形成システム。
【請求項１５】
前記受像媒体レジストレーションユニットは、転移電子レジストレーション（ＴＥＬＥＲ）システムを含む、請求項１３に記載の画像形成システム。
【手続補正２】
【補正対象書類名】明細書
【補正対象項目名】発明の名称
【補正方法】変更
【補正の内容】
【発明の名称】画像形成システム内で受像媒体を処理するための方法、及び画像形成システム